(57)【特許請求の範囲】
【請求項１】
基枠材と、ケーブルを載置するために基枠材の上部に一体成形または着脱自在に固定したケーブルボックスと、照明を保持するために基枠材の下部に着脱自在に固定した照明ボックスと、基枠材の左側面側に配置する電線を隠蔽するために基枠材の左側面側に着脱自在に固定した左側面カバーと、基枠材の右側面側に配置する電線等を隠蔽するために基枠材の右側面側に着脱自在に固定した右側面カバーとを備え、左側面カバー及び右側面カバーのいずれかを案内表示部としてあると共に、左側面カバー及び右側面カバーは、ケーブルボックス及び照明ボックスに跨って着脱自在に固定してある案内表示装置。
【発明の詳細な説明】
【０００１】
【発明が属する技術分野】
本発明は、鉄道駅舎のプラットホームの長手方向に設けられる案内表示装置に関するものである。
【０００２】
【従来の技術】
従来から知られている案内表示装置として例えば、天井部から懸吊した基枠材にケーブルボックス、案内表示部、照明ボックスを一体化して設ける方法は一般的に行なわれている。また、特開平１１−２５９７７０では天井部から吊設した箱型の案内表示板について箱体を溶接等によって成形し、側面の蓋体をヒンジ等で開放可能に取り付けて表示部の取り付け及びメンテナンスを行なう方法が開示されている。
【０００３】
【発明が解決しようとする課題】
しかし、上記した従来の案内表示装置では、天井部から懸吊した基枠材にケーブルボックス、案内表示部、照明ボックスを一体化して設けるためにこれらの取り付け、メンテナンスあるいは取り替えが容易でなく、また、案内表示板の箱体を溶接等によって成形し、側面の蓋体をヒンジ等で開放可能に取り付けて表示部の取り付け及びメンテナンスを行なう方法においても、ヒンジの取り付け、取り外し等は容易な作業ではない、という問題があり、これらの問題を解決することが従来の課題となっていた。
【０００４】
【発明の目的】
本発明は、上記した従来の課題に着目してなされたもので、基枠材への案内表示部及び照明ボックスの着脱を容易且つ自在にすることによって取り付けやメンテナンス、取り替えを容易にし、また、同時に案内表示部への電線配線設備等を隠蔽すると共に意匠的にも優れた案内表示装置を提供することを目的としている。
【０００５】
【課題を解決するための手段】
本発明は、基枠材と、ケーブルを載置するために基枠材の上部に一体成形または着脱自在に固定したケーブルボックスと、照明を保持するために基枠材の下部に着脱自在に固定した照明ボックスと、基枠材の左側面側に配置する電線を隠蔽するために基枠材の左側面側に着脱自在に固定した左側面カバーと、基枠材の右側面側に配置する電線等を隠蔽するために基枠材の右側面側に着脱自在に固定した右側面カバーとを備え、左側面カバー及び右側面カバーのいずれかを案内表示部としてあると共に、左側面カバー及び右側面カバーは、ケーブルボックス及び照明ボックスに跨って着脱自在に固定してある構成を前述した従来の課題を解決するための手段としている。
【０００６】
本発明に係わる案内表示装置において、案内表示部に設ける案内表示には印刷物や看板、その他の掲示物による表示および電光掲示板やＬＥＤ装置による表示を含むものとする。
【０００７】
【発明の作用】
本発明はケーブルを載置するために基枠材の上部に一体成形または着脱自在に固定したケーブルボックスと、照明を保持するために基枠材の下部に着脱自在に固定した照明ボックスとを備えているので照明ボックスの着脱が容易になる。また、基枠材の左側面側に配置する電線を隠蔽するために基枠材の左側面側に着脱自在に固定した左側面カバーと、基枠材の右側面側に配置する電線等を隠蔽するために基枠材の右側面側に着脱自在に固定した右側面カバーとを備えているので左側面カバー及び右側面カバーの着脱が容易であると同時に、基枠材を覆ってすっきりした外観とすることができる。併せて、左側面カバー及び右側面カバーのいずれかを案内表示部としてあり、左側面カバー及び右側面カバーの着脱が容易なので案内表示部の取り付け、メンテナンスや取り替えも容易になる。
【０００８】
上述の効果に加えて左側面カバー及び右側面カバーがケーブルボックス及び照明ボックスに跨って着脱自在に固定してあるので、外観意匠的にも左側面カバー及び右側面カバーとケーブルボックス及び照明ボックスとを一体化することによってよりすっきりした外観が得られる。
【０００９】
【発明の実施の形態】
本発明の一実施形態を実施例に基づき図面を参照して説明する。
【００１０】
図１〜図４は本発明に係わる案内表示装置の一実施例を示している。図１は本実施例の案内表示装置１の構造を表わす断面図であり、案内表示装置１は基枠材４が形鋼製の長尺部材である他はすべてアルミニウム合金押出成形による長尺部材を使用している。図２は本実施例の案内表示装置１を駅舎プラットホームＡの天井Ｂに取り付けた状態を列車の進行方向から見た断面図、図３は本実施例の案内表示装置を駅舎プラットホームに取り付けた状態を、プラットホーム中央部から線路側に向いて見た部分正面図、図４は本実施例の案内表示装置に案内表示、ケーブル、電線及び照明を取り付けた状態を示す断面図である。
【００１１】
図１に示すように本発明の案内表示装置１は初めに基枠材４の上部に上部取り付けベース５１を取り付けてボルトで固定し、上部取り付けベース５１の上に断面略Ｕ字状のケーブルボックス６を裁置して上部から着脱自在にビス止めしてある。更に基枠材４の下部にも上部取り付けベース５１と同一形状の下部取り付けベース５２を取り付けてボルトで固定する。照明ボックス７の上部には照明ボックス７を下部取り付けベース５２にビス止めするための一対の突条部７ａが設けてあり、この一対の突条部７ａで下部取り付けベース５２を挟み込むようにして下部取り付けベース５２に照明ボックス７を当接させ、突条部７ａの側面から照明ボックス７を下部取り付けベース５２に着脱自在にビス止め固定してある。照明ボックス７の下部両側端部には左下部側面カバー２２及び右下部側面カバー３２を当接載置し位置決めするための受け部７ｂが設けてあり、照明ボックス７の左右両側面には左下部側面カバー２２及び右下部側面カバー３２の端部を接合しビス止め固定するための接合条部７ｃが設けてある。
【００１２】
左側面カバー２及び右側面カバー３はそれぞれケーブルボックス６に係合する左上部側面カバー２１及び右上部側面カバー３１と照明ボックス７に係合する左下部側面カバー２２及び右下部側面カバー３２とに分割してあり、左上部側面カバー２１及び右上部側面カバー３１の上端部にはケーブルボックス６の上端部を呑み込み係合して左上部側面カバー２１及び右上部側面カバー３１を懸架するために下向きに開口した係合凹溝部２１ａ及び３１ａが設けてあり、左上部側面カバー２１及び右上部側面カバー３１の他方の端部は上部取り付けベース５１の上面とケーブルボックス６の底面との当接する隅部に当接しケーブルボックス６にビス止め固定するための上当接部２１ｂ及び３１ｂが設けてあり、左上部側面カバー２１及び右上部側面カバー３１の底面外側コーナー部には左下部側面カバー２２及び右下部側面カバー３２の上端部を当接しビス止め固定するための受け条部２１ｃ及び３１ｃが設けてある。左下部側面カバー２２及び右下部側面カバー３２の上端部にはそれぞれ左上部側面カバー２１及び右上部側面カバー３１の受け条部２１ｃ及び３１ｃに当接してビス止め連結するための連結部２２ａ及び３２ａを設けてあり、また、左下部側面カバー２２及び右下部側面カバー３２の下端コーナー部にはそれぞれ照明ボックス７の両端にある受け部７ｂに載置係合するための係合突条部２２ｂ及び３２ｂを設けてあり、この係合突条部２２ｂ及び３２ｂをそれぞれ照明ボックス７の両端にある受け部７ｂに載置するとともに、左下部側面カバー２２及び右下部側面カバー３２の内側の下端部２２ｃ及び３２ｃを照明ボックス７に設けた接合条部７ｃに当接しビス止め固定してある。この状態で左下部側面カバー２２及び右下部側面カバー３２の上端に設けた連結部２２ａ及び３２ａはそれぞれ左上部側面カバー２１及び右上部側面カバー３１の受け条部２１ｃ及び３１ｃに当接しており、これらをビス止め固定することによって案内表示装置１を形成してある。
【００１３】
本実施形態の案内表示装置１は左上部側面カバー２１と左下部側面カバー２２とが同一曲面を形成してケーブルボックス６の断面左端と照明ボックス７の断面左端とに跨って左側面カバー２と為しており、右上部側面カバー３１と右下部側面カバー３２とが同一曲面を形成してケーブルボックス６の断面右端と照明ボックス７の断面右端とに跨って右側面カバー３と為している。
【００１４】
以上の如く形成した本実施形態の案内表示装置１は図２に示すように駅舎のプラットホームＡの天井Ｂから懸吊した支持材Ｃによって基枠材４が保持固定してあり、基枠材４に各構成部材を上記の如く着脱自在に組み付け形成してあって、図３に例示するように左下部側面カバー２２及び右下部側面カバー３２の一部または全部を案内表示部９として案内事項を表示または掲示できるようにしたものである。図４には具体的にケーブルボックス６にケーブル６１を載置し、照明ボックス７に照明７１を取り付け、左下部側面カバー２２及び右下部側面カバー３２に例えばＬＥＤ表示による案内表示部９を取り付け、基枠材４には案内表示部９に接続する電気配線８を取り付けてある場合を例示した。なお、本実施の形態の説明及び各図面において、簡略のために案内表示装置１の基枠材４をプラットホームＡの天井Ｂから懸吊した支持材Ｃで支持する接続部分の構造および案内表示部９への電気配線設備等については省略した。
【００１５】
本発明は、上記した実施の形態に限らず本発明の趣旨を逸脱しない範囲で種々の変更が可能である。例えば、上記では左側面カバー２は左上部側面カバー２１と左下部側面カバー２２とに分割してあり、また、右側面カバー３は右上部側面カバー３１と右下部側面カバー３２とに分割してある例を説明したが、左側面カバー２及び右側面カバー３はそれぞれ分割されていなくてもよい。また、上記では分割して左側面カバー２を形成する左上部側面カバー２１と左下部側面カバー２２と、また、分割して右側面カバー３を形成する右上部側面カバー３１と右下部側面カバー３２とがそれぞれ同一曲面を形成している例を説明したが、左側面カバー２及び右側面カバー３を構成する左上部側面カバー２１と左下部側面カバー２２及び右上部側面カバー３１と右下部側面カバー３２組み付け後の外観形状は同一平面を為すものであってもよく、また多面形状を為すものであってもよい。また、上記実施例の如く左側面カバー２を左上部側面カバー２１と左下部側面カバー２２とに分割して、また、右側面カバー３を右上部側面カバー３１と右下部側面カバー３２とに分割して設けた場合は通常各部材をそれぞれ同一色調に形成することが多いが、分割して加工し組み合わせて一体に成形するものであるから部材毎に異なる色調を用いた２トーンカラーとすることが容易になり、意匠性をより強調することもできるようになる。また、上記の実施形態では基枠材４は角形鋼である場合を示したが、基枠材にはＨ形鋼等を用いても良い。上部取り付けベース５１とケーブルボックス６とは別体で形成した例を示したが、上部取り付けベースとケーブルボックスは一体に形成した押し出し形材を用いても良い。同様に、下部取り付けベース５２と照明ボックス７とは別体で形成した例を示したが、下部取り付けベースと照明ボックスは一体に形成した押し出し形材を用いても良い。
【００１６】
【発明の効果】
以上説明してきたように、本発明では左側面カバー、右側面カバー及び照明ボックスの着脱が容易であり、照明ボックスの取り付け、メンテナンスや取り替え及び基枠材の左側面側及び右側面側に配置する電線や附属機器等の取り付け、メンテナンスや取り替えが容易になると同時に、基枠材周辺の外観もすっきりとしたものになるという効果が得られる。併せて、左側面カバー及び右側面カバーのいずれかを案内表示部としてあり、左側面カバー及び右側面カバーの着脱が容易なので案内表示部の取り付け、メンテナンスや取り替えが容易になるという効果がもたらされる。
【００１７】
上述の効果に加えて左側面カバー及び右側面カバーがケーブルボックス及び照明ボックスに跨って着脱自在に固定してあるので、よりすっきりした外観が得られるという効果がある。
【図面の簡単な説明】
【図１】  本発明の一実施形態の案内表示装置の構造を示す断面図である。
【図２】  本発明の一実施形態の案内表示装置を駅舎プラットホームに取り付けた状態を示す断面図である。
【図３】  本発明の一実施形態の案内表示装置を駅舎プラットホームに取り付けた状態の一部を示す部分正面図である。
【図４】  図１の案内表示装置に案内表示、ケーブル、電線及び照明を取り付けた状態を示す断面図である。
【符号の説明】
１  案内表示装置
２、３  左側面カバー、右側面カバー
２１、３１  左上部側面カバー、右上部側面カバー
２２、３２  左下部側面カバー、右下部側面カバー
４  基枠材
５１  上部取り付けベース
５２  下部取り付けベース
６  ケーブルボックス
６１  ケーブル
７  照明ボックス
７１  照明
８  電気配線
９  案内表示部
Ａ  プラットホーム
Ｂ  天井
【図１】
0004030757.tif 000002
【図２】
0004030757.tif 000003
【図３】
0004030757.tif 000004
【図４】
0004030757.tif 000005